(57)【要約】  着信表示用導光板を有する移動通信端末機が開示される。この移動通信端末機は、上部フレームを含む。導光板が上部フレームに装着される。この導光板は、画像表示窓領域に対応する開口部を有する。これに加えて、この導光板に光を入射するように少なくとも一つの発光ダイオードが導光板に隣接して配置される。  導光板を着信表示用に使用することによって、ユーザが着信状態を容易に認知できる移動通信端末機を提供することができる。【選択図】図２
2008533902.tif 000002
【特許請求の範囲】
【請求項１】
着信表示用導光板を有する移動通信端末機において、
上部フレームと、
前記上部フレームに装着され、画像表示窓領域に対応する開口部を有する導光板と、
前記導光板に光を入射するように前記導光板に隣接して配置された少なくとも一つの発光ダイオードと、
を含むことを特徴とする移動通信端末機。
【請求項２】
前記導光板を覆う上部カバーをさらに含むことを特徴とする請求項１に記載の移動通信端末機。
【請求項３】
前記上部カバーの少なくとも一部は、透明であることを特徴とする請求項２に記載の移動通信端末機。
【請求項４】
前記発光ダイオード及び印刷回路基板を含む発光ダイオードアレイモジュールをさらに含むことを特徴とする請求項１に記載の移動通信端末機。
【請求項５】
前記発光ダイオードアレイモジュールは、前記導光板の側面または下部に位置することを特徴とする請求項４に記載の移動通信端末機。
【請求項６】
前記移動通信端末機は、フォルダ型移動通信端末機であることを特徴とする請求項１に記載の移動通信端末機。
【請求項７】
前記移動通信端末機は、スライド型移動通信端末機であることを特徴とする請求項１に記載の移動通信端末機。
【請求項８】
着信表示用導光板を有する移動通信端末機において、
前記移動通信端末機は、下部フォルダ及び上部フォルダを有し、
前記上部フォルダは、上部表示窓を有する上部ケースを有し、
前記上部ケースは、
上部フレームと、
前記上部フレームに装着され、前記上部表示窓領域に対応する開口部を有する導光板と、
前記導光板に光を入射するように前記導光板に隣接して配置された少なくとも一つの発光ダイオードと、を含むことを特徴とする移動通信端末機。
【請求項９】
前記上部ケースは、前記導光板を覆う上部カバーをさらに含むことを特徴とする請求項８に記載の移動通信端末機。
【請求項１０】
前記上部カバーの少なくとも一部は、透明であることを特徴とする請求項９に記載の移動通信端末機。
【請求項１１】
前記発光ダイオード及び印刷回路基板を含む発光ダイオードアレイモジュールをさらに含むことを特徴とする請求項８に記載の移動通信端末機。
【請求項１２】
前記発光ダイオードアレイモジュールは、前記導光板の側面または下部に位置することを特徴とする請求項１１に記載の移動通信端末機。
【請求項１３】
前記上部フォルダは、下部表示窓を有する下部ケースをさらに含むことを特徴とする請求項８に記載の移動通信端末機。
【発明の詳細な説明】
【技術分野】
【０００１】
本発明は、着信表示機能を有する移動通信端末機に係り、より詳細には、着信表示用導光板を採用して広い領域にわたって着信表示をすることができ、ユーザが容易に着信の有無を確認することができる移動通信端末機に関する。
【背景技術】
【０００２】
移動通信端末機、特に携帯用移動通信端末機は、携帯が簡便であり、無線通信以外に多様な機能を備えていて広く愛用されている。このような移動通信端末機は、無線通話以外にも文字または音声メッセージなどを送受信できるなど多様な機能を有し、その機能は、引き続き増加すると予想される。
【０００３】
一方、相手方の呼び出しまたはメッセージなどが送信される場合、移動通信端末機は、着信信号を発生してユーザに着信可否を知らせる。一般的に、このような着信信号の例としては、ベル音または振動がある。しかし、ベル音は、特定の場所では使用が制限され、ユーザが移動通信端末機を携帯していなくて振動を感じられない場合、振動による着信信号を感知することができない場合がある。
【０００４】
このような着信信号機能を補完するために着信ランプを有する移動通信端末機が市販されている。図１は、従来の着信ランプを有する移動通信端末機を説明するための斜視図である。
【０００５】
図１を参照すれば、移動通信端末機１は、フォルダ型移動通信端末機であって、上部フォルダ４と下部フォルダ７とを有する。上部フォルダ４は、一般的に下部ケース３と上部ケース５とを有し、下部ケースと上部ケースとの間に画面表示のための液晶表示モジュールが内蔵される。前記上部ケースは、表示窓１３を有し、内蔵された表示モジュールにより形成された画像を外部から見ることができるようにする。
【０００６】
一方、下部フォルダ７は、キーパッド及び内蔵された印刷回路基板を備え、バッテリーパックが搭載される。前記下部フォルダ７は、ヒンジ部９を介して上部フォルダ４と結合され、移動通信端末機１を構成する。
【０００７】
一般的に、前記ヒンジ部９に着信ランプ１１が設けられる。前記着信ランプ１１は、発光ダイオードと透明窓とからなり、外部から呼び出し信号が受信された時、発光ダイオードが点滅することによって、着信の存在をユーザに知らせる。
【０００８】
従来の移動通信端末機は、着信ランプ１１を備え、ベル音または振動による着信信号の限界を補完することができ、ユーザが夜間または暗い所で着信信号を認知しやすくて、移動通信端末機の位置を確認することができるなどの長所がある。
【０００９】
しかし、従来の着信ランプ１１は、図示のように、その大きさが小さいため、ユーザが着信信号を感知するのに限界がある。
【発明の開示】
【発明が解決しようとする課題】
【００１０】
本発明の目的は、ユーザが着信信号を容易に認知できる着信表示機能を有する移動通信端末機を提供することにある。
【課題を解決するための手段】
【００１１】
上記の目的を達成するためになされた本発明は、着信表示用導光板を有する移動通信端末機を提供する。この移動通信端末機は、上部フレームを含む。導光板が前記上部フレームに装着される。前記導光板は、画像表示窓領域に対応する開口部を有する。一方、少なくとも一つの発光ダイオードが前記導光板に光を入射するように前記導光板に隣接して配置される。
これにより、広い面積を有する導光板を使用して着信表示を指示するので、ユーザが着信の有無を容易に確認することができる。
【００１２】
一方、上部カバーが前記導光板を覆うことができる。前記上部カバーの少なくとも一部は、透明であり、透明樹脂で形成されることができる。
これにより、前記上部カバーの透明な部分を通じて着信表示が指示され、前記透明な部分は、ユーザの要求によって多様な形状で定義されることができる。
【００１３】
発光ダイオードアレイモジュールが前記導光板に隣接して配置されることができる。前記発光ダイオードアレイモジュールは、前記発光ダイオード及び印刷回路基板を含む。前記発光ダイオードアレイモジュールは、前記導光板の側面または下部に位置することができる。
【００１４】
好ましくは、前記移動通信端末機は、フォルダ型またはスライド型の移動通信端末機である。フォルダ型移動通信端末機は、下部フォルダと上部フォルダとを有し、スライド型移動通信端末機は、本体部とスライディング部とを有する。しかし、本明細書において、「下部フォルダ」及び「上部フォルダ」は、各々、特に限定しない限り、スライド型移動通信端末機の本体部、及びスライディング部を含む、と解釈される。
【００１５】
本発明の一態様によれば、着信表示用導光板を有する移動通信端末機は、下部フォルダ及び上部フォルダを有し、前記上部フォルダは、上部表示窓を有する上部ケースを有する。一方、前記上部ケースは、上部フレームと、前記上部フレームに装着され、前記上部表示窓領域に対応する開口部を有する導光板と、前記導光板に光を入射するように前記導光板に隣接して配置された少なくとも一つの発光ダイオードとを含む。
【００１６】
一方、上部カバーが前記導光板を覆うことができる。前記上部カバーの少なくとも一部は、透明であり、透明樹脂で形成されることができる。
【００１７】
発光ダイオードアレイモジュールが前記導光板に隣接して配置されることができる。前記発光ダイオードアレイモジュールは、前記発光ダイオード及び印刷回路基板を含む。前記発光ダイオードアレイモジュールは、前記導光板の側面または下部に位置することができる。
【００１８】
一方、前記上部フォルダは、下部表示窓を有する下部ケースをさらに含むことができる。
【発明の効果】
【００１９】
本発明の実施例によれば、従来の着信ランプに比べて、ユーザが着信信号を容易に感知できる移動通信端末機を提供することができる。
【発明を実施するための最良の形態】
【００２０】
以下、本発明の実施例を添付の図面を参照して詳細に説明する。
【００２１】
図２は、本発明の一実施例に係る着信表示用導光板を有する移動通信端末機の分解斜視図である。
【００２２】
図２を参照すれば、前記移動通信端末機は、図１の移動通信端末機と同様に、下部フォルダ７及び上部フォルダを有する。
【００２３】
前記下部フォルダ７は、キーパッドを有する上部面及びバッテリーパックが搭載された下部面を有し、ヒンジ部を有する。前記下部フォルダ７内に印刷回路基板が内蔵される。
【００２４】
上部フォルダは、下部表示窓１５を有する下部ケース３と、上部表示窓３１を有する上部ケース２０とを有する。前記下部ケースと上部ケースとの間に表示モジュール（図示せず）が位置し、下部表示窓及び／または上部表示窓を通じて画像を表示する。前記表示モジュールは、液晶表示モジュールまたは有機ＥＬモジュールなどであることができる。一般的に、下部表示窓を通じて画像を表示するモジュール及び上部表示窓を通し画像を表示するモジュールは、別個に内蔵されるが、一つの表示モジュールを使用して下部表示窓及び上部表示窓を通じて画像を表示することもできる。前記表示モジュールは、ヒンジ部を介して前記印刷回路基板に電気的に連結される。
【００２５】
一方、前記上部ケース２０は、上部フレーム２１を含み、前記上部フレームに本発明の実施例に係る導光板２３が装着される。前記導光板２３に光を入射する少なくとも一つの発光ダイオード２７が導光板に隣接して配置される。発光ダイオードは、印刷回路基板２５上に装着され、導光板２３に隣接して配置されることができる。前記印刷回路基板２５及びその上に装着された発光ダイオードは、発光ダイオードアレイモジュール２６を構成する。前記発光ダイオードアレイモジュール２６は、印刷回路基板２５上に装着された複数の発光ダイオードを同時にまたは別個に駆動することができる。
【００２６】
一方、前記導光板２３の上部に上部カバー２９が位置することができる。前記上部カバーは、導光板２３を保護する。
【００２７】
図３は、本発明の一実施例に係る移動通信端末機を説明するための上部ケース２０の分解斜視図である。
【００２８】
図３を参照すれば、導光板２３は、上部窓領域に対応する開口部２３ａを有する。前記導光板は、透明樹脂またはガラスで形成されることができ、下部に反射層を有する。
【００２９】
前記導光板２３に光を入射する発光ダイオード２７が導光板の側面に隣接して位置する。前記発光ダイオードは、側面または上部側に白色光または他の可視光線を発光するダイオードであることができる。
【００３０】
前記発光ダイオード２７は、印刷回路基板２５上に搭載されることができる。前記印刷回路基板２５は、発光ダイオード２７に電流を供給するための回路が印刷されており、このような回路を介して前記発光ダイオード２７を同時にまたは別個に駆動することができる。前記発光ダイオード２７と印刷回路基板２５とは、発光ダイオードアレイモジュール２６を構成する。前記発光ダイオード２７から入射された光は、導光板２３で混合され、上部面に光を出射する。
【００３１】
前記導光板２３及び発光ダイオードは、上部フレーム２１内に搭載される。前記上部フレームは、上部ケース２０の大きさを限定する側面を有し、前記導光板２３及び発光ダイオードアレイモジュール２６を搭載できるように内側面に突起が形成されているか、または下部面を有することができる。下部面を有する場合、少なくとも前記導光板２３の開口部に対応するフレーム開口部２１ａを有する。
【００３２】
前記発光ダイオードアレイモジュールは、前記導光板２３の一側面に隣接して上部フレーム２１内に搭載されることができ、下部フォルダ７内に内蔵された印刷回路基板に電気的に連結されて、着信信号を受信する場合、導光板２３に光を放出する。
【００３３】
一方、上部カバー２９が前記導光板２３を覆う。前記上部カバー２９は、導光板２３から上部に放出された光が透過するように透明な物質で形成されることができ、透明樹脂をモールディングして形成することができる。これとは異なって、前記上部カバー２９は、一部分が透明な物質で形成されて、導光板２３から出射された光を透過し、他の部分は、不透明な物質で形成されることができる。この時、前記導光板２３の開口部２３ａに対応する部分（窓領域）は、透明な物質で形成され、前記ウィンドウ領域以外の他の部分がまた透明な物質で形成され、導光板２３から放出された光を透過する。前記透明な物質で形成された他の部分は、多様な形状を有することができ、これにより、ユーザーの所望する形状で着信信号を知らせることができる。前記上部カバー２９は、図示のように、前記上部フレーム２１内に装着されることができ、これとは異なって、上部フレーム２１の上部に結合されることができる。
【００３４】
本実施例で、発光ダイオードアレイモジュール２６が一つであることを例として説明したが、複数の発光ダイオードアレイモジュール２６が使われることができ、前記導光板２３の開口部２３ａを間に置いて両側に隣接するように少なくとも２つのアレイモジュールが配置されることができる。
【００３５】
本実施例によれば、広い面積を有する導光板を介して着信信号を知らせるので、ユーザが着信信号を認知することが容易である。
【００３６】
図４は、本発明の他の実施例に係る上部ケースを説明するための分解斜視図である。
【００３７】
図４を参照すれば、上部ケースは、図３を参照して説明したように、上部フレーム５１、導光板５３及び上部カバー５９を有する。但し、本実施例において、発光ダイオード５７は、前記導光板５３の下部に配置される。
【００３８】
前記発光ダイオード５７は、図３を参照して説明したように、印刷回路基板５５上に装着されることができ、発光ダイオードと印刷回路基板とが発光ダイオードアレイモジュール５６を構成する。この時、前記発光ダイオードアレイモジュールは、前記導光板５３の下部に配置される。一方、前記導光板５３は、下部面に前記発光ダイオード５７を収容するための収容溝を有することができる。前記発光ダイオード５７は、収容溝に収容されて、光を導光板５３内に放出する。この時、前記発光ダイオード５７は、側面発光ダイオードであることが好ましく、これにより、導光板５３の収容溝を中心にして前記導光板５３の面に沿って四方に光を放出することができる。
【００３９】
一方、前記導光板５３は、開口部５３ａを有するので、前記発光ダイオードアレイモジュール５６は、前記開口部を間に置いて少なくとも両側に配置されることが好ましい。
【００４０】
本実施例によれば、発光ダイオードアレイモジュールを導光板５３の下部に配置することによって、導光板５３の大きさをさらに大きくすることができ、四方に放出する側面発光ダイオードを使用して発光ダイオードから放出される光の使用効率を高めることができる。
一方、本実施例において、フォルダ型移動通信端末機を例として説明したが、本発明は、フォルダ型移動通信端末機に限定されるものではなく、スライド型移動通信端末機にも適用されることができる。但し、スライド型移動通信端末機において下部表示窓は、一般的に下部フォルダ、すなわち本体部に位置するので、上部フォルダの下部表示窓は省略することができる。
【図面の簡単な説明】
【００４１】
【図１】は、従来の移動通信端末機を説明するための斜視図である。
【図２】は、本発明の一実施例に係る着信表示用導光板を有する移動通信端末機を説明するための分解斜視図である。
【図３】は、本発明の一実施例に係る着信表示用導光板が位置する上部ケースの分解斜視図である。
【図４】は、本発明の他の実施例に係る着信表示用導光板を有する移動通信端末機を説明するための上部ケースの分解斜視図である。
【符号の説明】
【００４２】
１    移動通信端末機
３    下部ケース
４    上部フォルダ
５、２０  上部ケース
７    下部フォルダ  
９    ヒンジ部
１１  着信ランプ
１５  下部表示窓
２１、５１  上部フレーム
２３、５３  導光板
２１ａ、２３ａ、５３ａ  開口部
２５、５５  印刷回路基板
２６、５６  発光ダイオードアレイモジュール
２７、５７  発光ダイオード
２９、５９  上部カバー
３１    上部表示窓
【図１】
2008533902.tif 000003
【図２】
2008533902.tif 000004
【図３】
2008533902.tif 000005
【図４】
2008533902.tif 000006
【国際調査報告】
2008533902.tif 000007
2008533902.tif 000008